(57)【要約】【課題】      本発明は、タイムリーに消費者に商品の特価情報を配信することができる商品情報配信システムおよび商品を提供することを目的としている。【解決手段】  サーバー３００に通信回線を介して商品情報を送信するホストコンピュータ２００と、サーバー３００に商品の検索条件を送信するパソコン５１０と、を備えた商品情報配信システムにおいて、特別価格などの商品情報ファイルを作成する商品情報ファイル作成ステップと、商品情報ファイルをサーバーに送信し、受信した商品情報ファイルをサーバー３００の情報記憶部に記憶する商品情報ファイル記憶ステップと、パソコン５１０からサーバー３００に商品を検索する商品検索条件を送信する条件検索送信ステップと、商品検索条件に基づいてサーバー３００に記憶された商品情報ファイルを検索し、検索結果に基づいて、該当する商品情報をパソコン５１０に送信する送信ステップと、からなる。【選択図】    図１
2009181517.tif 000002
【特許請求の範囲】
【請求項１】
サーバーに通信回線を介して商品情報を送信する商品情報装置と、前記サーバーに商品検索条件を送信する消費者用電子装置と、を備えた商品情報配信システムにおいて、
商品名・特別価格などの前記商品情報の内容を作成する商品情報ファイル作成ステップと、
前記通信回線を介して商品情報ファイルをサーバーに送信する商品情報ファイル送信ステップと、
受信した前記商品情報ファイルを前記サーバーの情報記憶部に記憶する商品情報ファイル記憶ステップと、
前記消費者用電子装置から前記サーバーに商品を検索する前記商品検索条件を送信する商品検索条件送信ステップと、
前記商品検索条件に基づいて前記サーバーに記憶された前記商品情報ファイルを検索する検索ステップと、
検索結果に基づいて、該当する商品情報を前記消費者用電子装置のメールアドレスに送信するメールアドレス送信ステップと、からなることを特徴とする商品情報配信システム。
【請求項２】
前記商品情報装置は、商品を販売する店舗に設けた店舗側コンピュータであることを特徴とする請求項１記載の商品情報配信システム。
【請求項３】
前記商品検索条件は、地域または店舗名の何れか一の条件を設定することを特徴とする請求項１記載の商品情報配信システム。
【請求項４】
商品名・特別価格などの商品情報ファイルを記憶する情報記憶手段と、消費者用電子装置と通信回線を介して送受信可能にした通信手段と、を備えた商品処理装置において、
前記消費者用電子装置から送信された商品検索条件を記憶する消費者情報記憶手段と、
この消費者情報記憶部に記憶された検索条件に基づいて、所定のタイミングで前記商品情報ファイルを検索する商品検索手段と、
この商品検索手段の結果、該当する商品情報がある場合には、前記消費者用電子装置のメールアドレスに送信するメールアドレス送信手段と、からなることを特徴とする商品処理装置。
【発明の詳細な説明】
【技術分野】
【０００１】
本発明は、デパート、スーパーや小売店で販売されている商品の特別価格の情報を消費
者のパーソナルコンピュータ（パソコン）や携帯電話に、特別価格を含む情報を電子メー
ルで配信する商品情報配信システムおよび商品処理装置に関する。
【背景技術】
【０００２】
従来、デパート、スーパーや小売店などの販売店では、商品の特売情報を掲載した折込広告（チラシ）を新聞に折り込み配布することにより、宣伝効果および販売促進の向上に努めていた。
【０００３】
近年、インターネットの普及にともなって、新聞の折り込み広告を電子化して、ホーム
ページに掲載し、商品の特売情報を公開し、販売促進の向上に努めている場合もある。
【０００４】
しかしながら、折り込み広告（チラシ）の場合には、チラシの印刷コストなどの関係か
ら、折り込み広告の部数、配布地域を絞り込んでいるため、販売店の周辺の限られた地域
の消費者にしか、チラシを配布することができない。
また、チラシの作成には、日数を要するので、天候や気温などにより客足の鈍化、競合
店での価格競争などでタイムリーな販売促進が望めない。
【０００５】
また、生鮮食料品などを特売で販売する場合でも、多くの消費者に伝えることができないので、売り切ることができず破棄しなければならない問題がある。
またインターネットでの特売情報は、より多くの消費者に宣伝することができるが、内容が新聞折り込み広告と同様であるため、数日前に設定した特売情報であることにおいて、新聞折り込み広告と何ら変わりがない。
【０００６】
また、新聞に折り込まれるチラシは、複数の販売店のチラシにより多数枚折り込まれ、かつ多数の商品が掲載されているので、消費者の欲しい商品やニーズに合う商品を探すのに時間を費やし、また希望する商品を見逃すという問題もある。
【０００７】
特許文献１には、店舗端末で特売情報の原稿を作成し、作成した原稿を配信センタ経由で会員端末に電子メールで配信することが開示されている。
【０００８】
【特許文献１】特開２００４−５４５４５号公報
【発明の開示】
【発明が解決しようとする課題】
【０００９】
本発明は斯かる問題点を鑑みてなされたものであり、タイムリーに消費者に特売情報を配信することができる商品情報配信システムおよび商品処理装置を提供することを目的としている。
また、商品の特売情報を、消費者のニーズに合うように伝えることができ販売促進を向上することができる商品情報配信システムおよび商品処理装置を提供することを目的としている。
また、消費者の購買意欲を喚起させる商品の特売情報を得ることができる商品情報配信システムおよび商品処理装置を提供することを目的としている。
【課題を解決するための手段】
【００１０】
本発明は、通信回線を利用することに着目したもので、請求項１記載の発明の要旨は、サーバーに通信回線を介して商品情報を送信する商品情報装置と、前記サーバーに商品検索条件を送信する消費者用電子装置と、を備えた商品情報配信システムにおいて、商品名・特別価格などの前記商品情報の内容を作成する商品情報ファイル作成ステップと、前記通信回線を介して商品情報ファイルをサーバーに送信する商品情報ファイル送信ステップと、受信した前記商品情報ファイルを前記サーバーの情報記憶部に記憶する商品情報ファイル記憶ステップと、前記消費者用電子装置から前記サーバーに商品を検索する前記商品検索条件を送信する商品検索条件送信ステップと、前記商品検索条件に基づいて前記サーバーに記憶された前記商品情報ファイルを検索する検索ステップと、検索結果に基づいて、該当する商品情報を前記消費者用電子装置のメールアドレスに送信するメールアドレス送信ステップと、からなることを特徴とする商品情報配信システムにある。
また請求項２記載の発明の要旨は、前記商品情報装置は、商品を販売する店舗に設けた店舗側コンピュータであることを特徴とする請求項１記載の商品情報配信システムにある。
また請求項３記載の発明の要旨は、前記商品検索条件は、地域名または店舗名の何れか一の条件を設定することを特徴とする請求項１記載の商品情報システムにある。
また請求項４記載の発明の要旨は、商品名・特別価格などの商品情報ファイルを記憶する情報記憶手段と、消費者用電子装置と通信回線を介して送受信可能にした通信手段と、を備えた商品処理装置において、前記消費者用電子装置から送信された商品検索条件を記憶する消費者情報記憶手段と、この消費者情報記憶部に記憶された検索条件に基づいて、所定のタイミングで前記商品情報ファイルを検索する商品検索手段と、この商品検索手段の結果、該当する商品情報がある場合には、前記消費者用電子装置のメールアドレスに送信するメールアドレス送信手段と、からなることを特徴とする商品処理装置にある。
【発明の効果】
【００１１】
本発明の商品情報配信システムおよび商品処理装置は、消費者のニーズに合った商品を登録しておくことにより、特別価格で販売される情報に基づいて電子メールで配信されるので、消費者の購買意欲を喚起させることができる。
また、販売店においては、商品の販売促進を向上させることができ、商品の売れ残りを低減することができる。これによって、商品の破棄を極めて低減することができる。
【発明を実施するための最良の形態】
【００１２】
本発明の実施の形態を図１および図５に基づいて説明する。
図１は本発明の商品情報配信システムの一例を示した全体構成図であり、図２はサーバーの一例を示した電気的模式図であり、図３はホストコンピュータの記憶部に記憶された商品の特価情報を示した商品特価情報データベースであり、図４はサーバーの情報記憶部に記憶された（ａ）店舗情報データベースと、（ｂ）特価情報データベースと、（ｃ）消費者情報データベースであり、図５は情報配信システムのフローチャート図である。
【００１３】
商品情報配信システムは、スーパーなどの各店舗内に設置された店舗側コンピュータ２００と、サーバー３００とがインターネット１００を介して商品情報あるいはコマンドの送受信をすることができるように設けられている。  
尚、店舗側コンピュータ２００（商品情報装置）は、ホストコンピュータ２１０と、ホストコンピュータ２２０が別々の店舗に設置されている。
また、消費者が所有する消費者側端末（消費者側電子装置）５００がサーバー３００とインターネット１００を介して商品検索条件、商品情報あるいはコマンドの送受信をすることができるように設けられている。
尚、消費者側端末５００は、パーソナルコンピュータ（パソコン）５１０または携帯電話５２０として説明する。
【００１４】
ホストコンピュータ２１０は、例えば、○○スーパー○○店の店舗内に設置されたコンピュータ本体２１１と、モニター２１２と、入力装置２１３と、から構成されている。コンピュータ本体２１１には、インターネット１００に接続可能なインターフェース（図示せず）が設けてある。
またホストコンピュータ２２０は、○○スーパー○△店の店舗内に設置されたコンピュータ本体２２１と、モニター２２２と、入力装置２２３とから構成されている。コンピュータ本体２２１には、インターネット１００に接続可能なインターフェース（図示せず）が設けてある。
【００１５】
各々のホストコンピュータ２１０、２２０のコンピュータ本体２１１，２２１には、図示しないが、プログラムに従って各部を制御する制御部、後述する商品名などの商品情報を記憶する記憶部、インターネット１００を介してサーバー３００と通信可能にする通信制御部（図示せず）などを備えている。
各通信制御部は、インターネット１００を介してサーバー３００と通信可能に設けられ、各種のデータ、商品情報、店舗情報、コマンドなどをサーバー３００に送信することができる。
【００１６】
ホストコンピュータ２１０のモニター２１２は、商品の商品名・価格・商品の内容などの商品情報を表示することができる液晶表示部２１４を有し、コンピュータ本体２１１と接続され、入力装置２１３は、商品の商品名・価格・商品の内容・店舗情報・コマンドなどの情報を入力することができるキーボードを有し、コンピュータ本体２１１と接続されている。
ホストコンピュータ２２０のモニター２２２は、商品の商品名・価格・商品の内容などの商品情報を表示することができる液晶表示部２２４を有し、コンピュータ本体２１１、２２１と接続され、入力装置２２３は、商品の商品名・価格・商品の内容・店舗情報・コマンドなどの情報を入力することができるキーボードを有し、コンピュータ本体２２１と接続されている。
【００１７】
サーバー３００は、各ホストコンピュータ２１０，２２０と、パーソナルコンピュータ５１０と、携帯電話５１０などと、インターネット１００を介して通信可能に設けられている。
サーバー３００は、コンピュータ本体３０１と、表示部３０２および入力装置３０３と、を備えている。
【００１８】
コンピュータ本体３０１には主として、制御部３０４、通信制御部３０５、情報記憶部３０６などが設けられている。
制御部３０４は、各部を制御するプログラムを有し、店舗側コンピュータ２００から送信されてきた商品情報・店舗情報などを情報記憶部３０６に登録することができ、消費者側端末５００から送信されてきた商品名や価格情報などの商品検索条件を情報記憶部３０６に記憶するように制御することができる。
また、商品設定情報に基づいて制御部３０４は、所定タイミング毎に商品情報を検索して、該当する商品がある場合には、商品情報と店舗情報とを通信制御部３０５を介して消費者端末５００に送信するように制御することができる。
【００１９】
通信制御部３０５は、インターネット１００を介して店舗側コンピュータ２００，消費者端末５００と通信可能に制御することができ、店舗側コンピュータ２００から送信された店舗情報・商品情報などを受信することができ、また消費者端末５００から消費者情報、商品検索条件などを受信することができる。また、消費者端末５００に商品情報および店舗情報を送信することができる。
【００２０】
またコンピュータ本体３０１には、情報記憶部３０６としての円盤状の記憶媒体（図示せず）を設けることができ、後述する店舗情報エリア３１０、特価情報エリア３２０、消費者情報エリア３３０，および各種データなどが記憶されている。
【００２１】
さらに、コンピュータ本体３０１の表示部３０２には、商品情報・店舗情報・消費者情報あるいは各種データなどを表示することができる液晶表示画面（図示せず）を有し、コンピュータ本体３０１と接続されている。
また、コンピュータ本体３０１の入力装置３０３は、文字・記号・各種データやコマンドを入力することができるキーボードを有し、コンピュータ本体３０１と接続されている。
尚、制御部３０４と、通信制御部３０５と、情報記憶部３０６は、バス３０７を介して接続されている。
【００２２】
消費者側端末５００としてのパソコン５１０は、サーバー３００と情報を送受可能に設けたインターフェース（図示せず）と、モニター５１１と、入力装置５１２とを有している。
消費者情報・商品検索条件などの情報をパソコン５１０からインターネット１００を介してサーバー３００に送信することができ、また商品情報・店舗情報などを電子メールでサーバー３００からインターネット１００を介してパソコン５１０に受信することができる。
また、消費者側端末５００としての携帯電話５２０も上述と同様に、インターネット１００を介して消費者情報・商品検索条件・商品情報・店舗情報などの情報を送受信することができる。
【００２３】
次に、店舗側コンピュータ２００のホストコンピュータ２１０（○○スーパー○○店）の記憶部（図示せず）には、商品特価情報データベース（商品特価情報ＤＢ）２１５がオペレータによる作成される（商品情報ファイル作成ステップ）。
商品特価情報ＤＢ２１５には主に、商品名欄２１５ａ、通常価格欄２１５ｂ、特価欄（特別価格）２１５ｃ、特価期間欄２１５ｄ、商品説明欄２１５ｅ、画像欄２１５ｆなどを有している。また、通常価格、特価、特価期間、商品説明、画像の各情報は、商品名ごとに互いに関連づけされている。
【００２４】
商品名欄２１５ａは、商品の名称を登録することができる。通常価格欄２１５ｂは、商品に対して、○○スーパー○○店で通常販売されている通常価格が記憶することができる。特価欄２１５ｃは、通常価格より値下げした価格を設定した特別価格を記憶することができる。
特価期間欄２１５ｄは、特別価格で販売される期間としての日時を記憶することができる。商品説明欄２１５ｅは、商品の内容などの説明が必要な場合に登録することができる（例えば、メーカー名など）。画像欄２１５ｆは、必要に応じて商品の全体の画像を登録することができる。
【００２５】
例えば、商品名欄２１５ａの「缶コーヒー」には、この商品名に対応して、通常価格欄２１５ｂに「１２０円」、特価欄２１５ｃに「８８円」、特価期間欄２１５ｄに「１／１０限定」（１月１０日限定）、商品説明欄２１５ｅに「Ａ社」、画像欄２１５ｆに画像が関連して記憶されている。
また、商品名欄２１５ａの「から揚げ」には、この商品名に対応して、通常価格欄２１５ｂに「２５０円」、特価欄２１５ｃに「１９８円」、特価期間欄２１５ｄに「１／１５限定」（１月１５日限定）、商品説明欄２１５ｅに「５個入り」、画像欄２１５ｆに空欄（画像の登録なし）として関連して記憶されている。
また、商品名欄２１５ａの「くつ下」には、この商品名に対応して、通常価格欄２１５ｂに「９８０円」、特価欄２１５ｃに「６８０円」、特価期間欄２１５ｄに「１／１０〜１／１６」（１月１５日〜１月１６まで）、商品説明欄２１５ｅに「３足  Ｂ社」、画像欄２１５ｆに空欄（画像の登録なし）として関連して記憶されている。
【００２６】
このように値下げする商品を商品特価情報ＤＢ２１５に登録し、インターネット１００を介してサーバー３００にアクセスして、店舗コード・店舗名および商品特価情報ＤＢ２１５をサーバー３００に転送（商品情報ファイル送信ステップ）することにより、後述するサーバー３００の情報記憶部３０６に設定された特価情報ＤＢ３２１に○○スーパー○○店の商品特価情報ＤＢ２１５と同一の情報（商品情報）として商品情報ファイル（Ｆ−１）を登録することができる（商品情報ファイル記憶ステップ）。
【００２７】
次に、サーバー３００の記憶部について図４に基づいて説明する。
サーバー３００の情報記憶部３０６には主として、店舗情報エリア３１０と、特価情報エリア３２０と、消費者情報エリア３３０とを有している。
店舗情報エリア３１０には、店舗情報データベース（店舗情報ＤＢ）３１１を登録することができる。
店舗情報ＤＢ３１１には、店舗コード欄３１１ａ、店舗名欄３１１ｂ、住所欄３１１ｃ、電話番号欄３１１ｄと、営業時間欄３１１ｅなどの各欄を有している。また、店舗名、住所、電話番号、営業時間などの各情報は、店舗コードごとに互いに関連づけされている。
【００２８】
店舗コード欄３１１ａは、店舗名毎に付された固有の識別コードを登録することができる。店舗名欄３１１ｂは、スーパーや商店などの店名を登録することができる。住所欄３１１ｃは、店舗の住所を登録することができる。電話番号欄３１１ｄは、店舗の電話番号を登録することができる。営業時間欄３１１ｅは、開店時間および閉店時間を登録することができる。
【００２９】
例えば、店舗コード欄３１１ａの「１０１００１」には、この店舗コードに対応して、店舗名欄３１１ｂに「○○店」、住所欄３１１ｃに「△△市○○町１０」、電話番号欄３１１ｄに「０１−１２３４−ｘｘｘｘ」、営業時間欄３１１ｅに「１０時―２２時」が関連して記憶されている。
また、店舗コード欄３１１ａの「１０２００１」には、この店舗コードに対応して、店舗名欄３１１ｂの「○△店」、住所欄に「△△市○△町５」、電話番号欄３１１ｄに「０１−１２３４−ｘｘｘｚ」、営業時間欄３１１ｅに「２４時間」が関連して登録されている。
【００３０】
特価情報エリア３２０には、特価情報データベース（特価情報ＤＢ）３２１を登録することができる。
特価情報ＤＢ３２１には主として、店舗コード欄３２１ａ、店舗名欄３２１ｂ、商品特価ファイル欄３２１ｃなどの各欄を有している。また、店舗名、商品特価ファイルなどの各情報は、店舗コードごとに互いに関連づけされている。
店舗コード欄３２１ａは、店舗情報ＤＢ３１１の店舗コードと同様に固有の識別コードを登録することができる。店舗名欄３２１ｂは、店舗情報ＤＢ３１１の店舗コードに対する店舗名と同様の店舗名を登録することができる。商品特価ファイル欄３２１ｃは、店舗側コンピュータ２００から送信された商品特価情報ＤＢ２１５を登録することができる。
【００３１】
例えば、店舗コード欄３２１ａの「１０１００１」には、この店舗コードに対応して、店舗名欄３２１ｂに「○○店」、商品特価ファイル欄３２１ｃに「Ｆ−１」が関連して登録されている。
また店舗コード欄３２１ａの「１０２００１」には、この店舗コードに対応して、店舗名欄３２１ｂに「○△店」、商品特価ファイル欄３２１ｃに「Ｆ−２」が関連して登録されている。
尚、特価情報ＤＢ３２１の「Ｆ−１」は、ファイルの「１」として、図２に示した商品特価情報ＤＢ２１５を登録することができ、特価情報ＤＢ３２１の「Ｆ−２」は、○△店の商品特価ファイルとしてのファイルの「２」として登録することができる。（図示省略する）
【００３２】
消費者情報エリア３３０には、消費者情報データベース（消費者情報ＤＢ）３３１を有している。
消費者情報ＤＢ３３１には主に、消費者コード欄３３１ａ、氏名欄３３１ｂと、電子メール欄３３１ｃと、指定地域欄３３１ｄと、指定店舗欄３３１ｅと、指定商品欄３３１ｆ、時刻欄３３１ｇなどを有している。また、氏名、電子メール、指定地域、指定店舗、指定商品、時刻は、消費者コードごとに互いに関連づけされている。
【００３３】
消費者コード欄３３１ａは、消費者の固有の識別コードを登録することができる。
氏名欄３３１ｂは、消費者の氏名を登録することができる。電子メール欄３３１ｃは、パーソナルコンピュータ５１０あるいは携帯電話５２０の電子メールのアドレスを登録することができる。
【００３４】
指定地域欄３３１ｄは、商品を希望する地域を設定することができ、○○市あるいは○○市△町など市単位あるいは町単位など任意に設定可能にして、消費者の日常の行動範囲での地域を設定することができ、地域を設定することにより、その地域に登録された店舗を店舗情報ＤＢ３１１から呼び出することができる。また指定地域欄３３１ｄは、必須の項目として設定することができる。
【００３５】
指定店舗欄３３１ｅは、店舗情報ＤＢ３１１に登録された店舗名を設定することができる。また指定店舗欄３３１ｅは、任意に設定することができ、設定を省略することができる。指定店舗欄３３１ｅは、例えば通勤・通学途中にある店舗店など利便性のある店舗店を登録することができる。さらに、指定店舗は、複数の店舗名を設定することができる。
指定商品欄３３１ｆは、購入を希望する商品名を設定することができる。また商品名は、複数設定することができる。また指定商品欄３３１ｆは、必須の項目として設定することができる。
【００３６】
例えば、消費者コード欄３３１ａの「２０１００１」には、この消費者コードに対応して、氏名欄３３１ｂに「○○△△」、電子メール欄３３１ｃに「ａ＠ｂ．ｃ」、指定地域欄３３１ｄに「○○市」、指定店舗欄３３１ｅに「空欄」（未登録）、指定商品欄３３１ｆに「缶コーヒー」、時刻欄３１１ｇに「１５時」が関連して登録されている。
また消費者コード欄３３１ａの「２０２００１」には、この消費者コードに対応して、氏名欄３３１ｂに「○△○△」、電子メール欄３３１ｃに「ｄ＠ｅ．ｆ」、指定地域欄３３１ｄに「○○市○△町」、指定店舗欄３３１ｅに「○△店」、指定商品欄３３１ｆに、「くつ下」、時刻欄３３１ｇに「１０時」が関連して登録されている。
尚、各消費者がパソコン５１０あるいは携帯電話５２０から消費者情報を送信して消費者情報ＤＢ３３１の各欄を設定することができる（商品検索条件送信ステップ）。
【００３７】
このようにサーバー３００の情報記憶部３０６の各エリアに記憶された各情報に対してサーバー３００の制御部３０４は、消費者の設定した時刻に、１日に１回、消費者が特価の価格を希望する商品を検索して（検索ステップ）、該当する商品がある場合には、消費者に商品名とともに販売されている店舗情報と商品情報を消費者の登録された電子メールアドレスに送信することができる（メールアドレス送信ステップ）。
尚、この実施の形態では、特価情報ＤＢ３２１を１日に１回検索する設定にしているが、１日に複数回検索するように設定にすることができる。
【００３８】
次に、図５に基づいて商品情報配信システムの処理手順について説明する。
ステップＳ１において、商品の検索する指定のタイミング（時刻）か否かを判断する。指定された時刻毎に登録された消費者の検索条件を検索することができる。例えば、消費者「○○△△」は、毎日１回１５時のタイミングで検索する条件が登録されているので、毎日１５時に検索することができる。
ステップ１で指定した時刻になるとステップ２に進み、指定された時刻でない場合にはステップＳ１に戻り、ステップＳ１の処理が繰り返し実行される。
【００３９】
ステップ２では、消費者情報ＤＢ３３１から消費者が設定した情報を呼び出し、ステップＳ３に進む。
ステップＳ３では、消費者情報ＤＢ３３１から指定した店舗名があるか否かを判断する。指定の店舗名が設定されている場合には、ステップＳ４に進み、指定の店舗名が設定されていない場合には、ステップＳ８に進む。
ステップＳ３で、店舗名がある場合にはステップＳ４に進む。
ステップＳ４では、店舗情報ＤＢ３３１の住所を検索し、指定地域にある店舗を呼び出だし、また指定店舗に設定された情報から店舗情報ＤＢ３３１の店舗名を検索して該当する店舗を呼び出す。そして、呼び出された店舗に基づいて、特価情報ＤＢ３２１の商品特価ファイルを呼び出し、消費者が設定した商品を検索して、ステップＳ５に進む。
【００４０】
ステップＳ５では、該当する商品があるか否かを判断することができる。
該当する商品がある場合には、ステップＳ６に進み、該当する商品がない場合には、ステップ９に進む。
【００４１】
該当する商品がある場合には、ステップＳ６に進み、抽出された商品毎に商品情報（商品名・通常価格。特価・特価期間・商品説明・画像）および店舗情報（店舗名・住所・電話番号・営業時間・特価期間）を編集してリスト表（図示せず）を作成して、ステップＳ７に進む。
ステップＳ７では、リスト表を消費者情報ＤＢ３３１の登録された電子アドレスに送信して終了する。
【００４２】
また、ステップＳ３で店舗名が設定されていない場合には、ステップＳ８に進む。
ステップＳ８では、消費者が指定された店舗名から店舗情報ＤＢ３３１を検索して、該当する店舗名を呼び出し、呼び出店舗名から消費者が設定した商品を検索して、ステップＳ５に進む。
ステップＳ５において、該当する商品があるか否かを判断することができる。
該当する商品がある場合には、ステップＳ６に進み、該当する商品がない場合には、ステップ９に進む。
【００４３】
ステップＳ９では、該当する商品が無いことを示すコメントを作成して、ステップＳ７に進む。ステップＳ７では、消費者が設定した電子メールアドレスに送信して終了する。
【００４４】
この実施の場合には、ステップＳ６で編集された店舗情報と、条件に合致した商品名・通常価格・特価価格などの商品情報の全てを抽出して編集された情報を送信することができる。
また、リスト表の商品情報および店舗情報は、消費者が任意に選択して設定することができる。
【００４５】
上述で述べた実施の形態は一例であり、サーバー３００に登録された複数の消費者の設定条件（商品名・指定地域・指定店舗）に基づいて、サーバー３００側が店舗情報ＤＢ３１１および特価情報ＤＢ３２１を検索して抽出することができる。また、抽出された商品情報および店舗情報などは、指定条件に基づいて編集して各消費者に送信することができる。
【００４６】
上述のように、消費者の要望する商品を特別価格で購入することができる。また、店舗名を指定することができ、住所の周辺や、勤務をしている周辺あるいは通勤経路の沿った店舗など柔軟に指定することができ、生活習慣に合った店舗を選択することができる。また、送信される時刻を設定することができるので、タイムリーに情報を得ることができる。
このように、消費者は、要望する商品を特別価格で購入することがで、チラシなど印刷した情報を全て確認する必要がない。
店舗は、特別価格をより広く情報を発信することができるので、商品の売れ残りを低減することができる。
【００４７】
この実施の形態では、商品を販売する店舗としてスーパーマーケットについて説明したが、デパート、コンビニエンスストアーなど食料品、日用雑貨などを販売する店舗、あるいは家電・家具・カー用品などの販売店に利用することができる。
また、消費者情報ＤＢの指定地域または指定店舗は何れかを任意に設定することができる。
また、消費者端末は、パソコンまたは携帯電話で説明したが、通信可能な電子機器であれば何れでもよい。
【００４８】
この実施の形態では、各構成部材の数、位置、形状等は上記実施の形態に限定されず、本発明を実施するうえで好適な数、位置、形状等にすることができる。本発明が上記各実施の形態に限定されず、本発明の技術思想の範囲内において、実施の形態は適宜変更され得ることは明らかである。
【図面の簡単な説明】
【００４９】
【図１】本発明の情報配信システムの一例を示した全体構成図である。
【図２】同上、サーバーの一例を示した電気的模式図である。
【図３】同上、ホストコンピュータ２１０の記憶部に記憶された商品の特価情報を示した商品特価情報データベースである。
【図４】（ａ）同上、サーバーの情報記憶部に記憶された店舗情報データベースである。  （ｂ）同上、サーバーの情報記憶部に記憶された特価情報データベースである。  （ｃ）同上、サーバーの情報記憶部に記憶された消費者情報データベースである。
【図５】同上、情報配信システムのフローチャート図である。
【符号の説明】
【００５０】
１００      インターネット
２００      店舗側コンピュータ（商品情報装置）
２１０      ホストコンピュータ
２２０      ホストコンピュータ
３００      サーバー（商品処理装置）
３０１      コンピュータ本体
３０２      モニター
３０３      入力装置
３０４      制御部
３０５      通信制御部（通信手段）
３０６      情報記憶部（情報記憶手段）
３１０      店舗情報エリア
３２０      特価情報エリア
３３０      消費者情報エリア（消費者情報記憶手段）
５００      消費者側端末（消費者側電子装置）
Ｆ−１      商品特価ファイル（商品情報ファイル）
【図１】
2009181517.tif 000003
【図２】
2009181517.tif 000004
【図３】
2009181517.tif 000005
【図４】
2009181517.tif 000006
【図５】
2009181517.tif 000007